(57)【要約】【課題】室内機不使用時において一対の水平羽根の端部同士が確実に当接しあい、一対の水平羽根によって完全な閉塞状態が得られ、外観性の優れた空気調和機の室内機を提供する。【解決手段】吹出口に一対の水平羽根１、２が回動可能に設けられ、室内機不使用時において一対の水平羽根１、２は端部同士が接触する閉塞位置に位置するように設けられており、室内機使用終了時において、一方の水平羽根１が選択図に示すように閉塞位置よりも他方の水平羽根２側に位置するように回動し、その後、他方の水平羽根２が、回動して前記一方の水平羽根１を閉塞位置まで押し戻すように設けられている。【選択図】図１
2010060172.tif 000002
【特許請求の範囲】
【請求項１】
吹出口に少なくとも一対の水平羽根（１、２）が回動可能に設けられているとともに、室内機不使用時において一対の水平羽根（１、２）は一方の水平羽根（１）の端部と他方の水平羽根（２）の端部とが接触する閉塞位置に位置するように設けられており、室内機使用終了時において、一対の水平羽根（１、２）のうち一方の水平羽根（１）が閉塞位置よりも他方の水平羽根（２）側に位置するように回動し、その後、他方の水平羽根（２）が、前記一方の水平羽根（１）を閉塞位置まで押し戻すように設けられていることを特徴とする空気調和機の室内機。
【請求項２】
前記一対の水平羽根（１、２）のそれぞれを駆動する一対の駆動手段を備えており、室内機使用終了時において、前記一方の水平羽根（１）を駆動する一方の駆動手段が駆動した後に、前記他方の水平羽根（２）が一方の水平羽根（１）を閉塞位置まで押し戻すように前記他方の水平羽根（２）の駆動手段が駆動するように制御されている請求項１記載の空気調和機の室内機。
【請求項３】
前記駆動手段がステッピングモータである請求項２記載の空気調和機の室内機。
【請求項４】
前記一対の水平羽根（１、２）は上下一対の水平羽根（１、２）からなり、閉塞位置において下方の水平羽根（１）の上端部の内面と上方の水平羽根（２）の下端部の外面とが接触するように設けられており、
室内機使用終了時において、下方の水平羽根（１）の上端部が閉塞位置よりも上方に位置するように回動し、その後、上方の水平羽根（２）が、前記下方の水平羽根（１）を閉塞位置まで押し戻すように設けられている請求項１乃至３のいずれかに記載の空気調和機の室内機。
【発明の詳細な説明】
【技術分野】
【０００１】
この発明は、空気調和機の室内機に係るものであり、より詳しくは、室内機の吹出口に設けた水平羽根を改良した空気調和機の室内機に係るものである。
【背景技術】
【０００２】
空気調和機の室内機における水平羽根の構造としては、特許文献１に記載されたものが公知である。この特許文献１に記載のものは、室内機の吹出口に上下一対の水平羽根が設置されており、室内機不使用時の水平羽根閉塞時において、上方の水平羽根の下端が下方の水平羽根の上端と接触した状態となるように設けられたものであり、これにより、室内機の外観上の美観を向上すると共に、室内機内への塵埃の侵入を防止するものである。なお、この特許文献１に記載された水平羽根は、上方の水平羽根をその回転中心においてステッピングモータと接続して、且つ、上方の水平羽根と下方の水平羽根とを連結レバーに回転可能に連結させることにより、ステッピングモータの駆動により、上下の水平羽根が回動するように設けられている。
【特許文献１】特開平９−３１０８８４号公報
【発明の開示】
【発明が解決しようとする課題】
【０００３】
ところで、上記特許文献１に記載された水平羽根においては、室内機不使用時の水平羽根閉塞時において、水平羽根が開放方向に回動してしまい、上方の水平羽根の下端と下方の水平羽根の上端との間に隙間が生じてしまい、室内機の美観を損ねるという問題を有していた。これは、室内機使用終了時に水平羽根を閉塞する方向に回動することにより、一時的には上方の水平羽根の下端と下方の水平羽根の上端とが接触した状態が得られるものの、その後、水平羽根の自重やリンク（水平羽根−ステッピングモータ間の部品）の遊び、バックラッシュ等が原因となって、上方の水平羽根の下端と下方の水平羽根の上端とが離間する方向に回動してしまうためである。
【０００４】
この発明は上記した従来の欠点を解決するためになされたものであって、その目的は、室内機不使用時において一対の水平羽根の端部同士が確実に当接しあい、一対の水平羽根によって完全な閉塞状態が得られ、外観性の優れた空気調和機の室内機を提供することにある。
【課題を解決するための手段】
【０００５】
上記課題を解決するため、この発明空気調和機の室内機は、吹出口に少なくとも一対の水平羽根１、２が回動可能に設けられているとともに、室内機不使用時において一対の水平羽根１、２は一方の水平羽根１の端部と他方の水平羽根２の端部とが接触する閉塞位置に位置するように設けられており、室内機使用終了時において、一対の水平羽根１、２のうち一方の水平羽根１が閉塞位置よりも他方の水平羽根２側に位置するように回動し、その後、他方の水平羽根２が、前記一方の水平羽根１を閉塞位置まで押し戻すように設けられていることを特徴とする。
【０００６】
また、本発明にあっては、一対の水平羽根１、２のそれぞれを駆動する一対の駆動手段を備えており、室内機使用終了時において、前記一方の水平羽根１を駆動する一方の駆動手段が駆動した後に、前記他方の水平羽根２が一方の水平羽根１を閉塞位置まで押し戻すように前記他方の水平羽根２の駆動手段が駆動するように制御されている構成を採用することができる。
【０００７】
また、前記構成を採用した場合には、前記駆動手段としてステッピングモータを採用することができる。
【０００８】
また、本発明にあっては、前記一対の水平羽根１、２は上下一対の水平羽根１、２からなり、閉塞位置において下方の水平羽根１の上端部の内面と、上方の水平羽根２の下端部の外面とが接触するように設けられており、室内機使用終了時において、下方の水平羽根１の上端部が閉塞位置よりも上方に位置するように回動し、その後、上方の水平羽根２が、前記下方の水平羽根１を閉塞位置まで押し戻すように設けられている構成を採用することができる。
【発明の効果】
【０００９】
この発明の空気調和機の室内機では、室内機使用終了すると、一方の水平羽根１が閉塞位置よりも他方の水平羽根２側に位置するように回動し、他方の水平羽根２が、一方の水平羽根１を閉塞位置まで押し戻すように回動して、これにより、一対の水平羽根１、２によって閉塞状態が得られることになる。このため、この閉塞状態においては、一対の水平羽根１、２同士が互いに他方側に押し合う状態となっているため、水平羽根１側の多少のバックラッシュ等が生じたとしても、一対の水平羽根１、２同士は接触状態を維持することができ、これにより、一対の水平羽根１、２の間に隙間を生じさせることがなく、室内機の外観上の美観を向上させることができる。
【００１０】
また、一対の駆動手段を備え、室内機使用終了時において、一方の水平羽根１を駆動する一方の駆動手段が駆動した後に、前記他方の水平羽根２を駆動する他方の駆動手段が前述のごとく駆動するように制御されている構成を採用することによって、一対の駆動手段のみの簡単な構成で上記発明の水平羽根１、２の回動を容易に制御することができる。また、このような場合に、駆動手段としてステッピングモータを採用することにより、廉価な装置で本発明を実施することができ、しかも、仮に、ステッピングモータの停止状態において遊び部分により水平羽根１側のステッピングモータが１ステップ分だけ逆転しても、水平羽根１、２同士が押し合う状態で閉塞状態が得られているため、一対の水平羽根１、２の間に隙間を生じさせることがない。
【００１１】
また、本発明にあっては、前記一対の水平羽根１、２は上下一対の水平羽根１、２からなり、閉塞位置において下方の水平羽根１の上端部の内面と、上方の水平羽根２の下端部の外面とが接触するように設けられており、室内機使用終了時において、下方の水平羽根１の上端部が閉塞位置よりも上方に位置するように回動し、その後、上方の水平羽根２が、前記下方の水平羽根１を閉塞位置まで押し戻すように設けられている構成を採用した場合、上下一対の水平羽根１、２の間に隙間を生じず、室内機の外観上の美観を向上させることができる。つまり、室内機使用終了すると、下方の水平羽根１が閉塞位置よりも上端部が上方に位置するように回動し、上方の水平羽根２が、下方の水平羽根１を閉塞位置まで押し戻すように回動して、これにより、上下一対の水平羽根１、２同士が互いに他方側に押し合う状態で閉塞状態が得られるため、水平羽根１側に多少のバックラッシュ等が生じたとしても、一対の水平羽根１、２同士は接触状態を維持することができる。
【発明を実施するための最良の形態】
【００１２】
次に、この発明の空気調和機の室内機の具体的な実施の形態について、図面を参照しつつ詳細に説明する。この発明の一実施形態に係る空気調和機の室内機は、図２に示すように、ケーシング１０の吸込口１１から吸い込んだ室内空気と熱交換を行う逆Ｖ字状の熱交換器１３、および、熱交換された空気を吹出口１２から室内に送風するための略円筒形状のファン１４がケーシング１０内に内蔵されている。上記熱交換器１３は、ファン１４の前方、上方および後部上方を取り囲むように取り付けられている。該熱交換器１３の頂部は、ケーシング１０の天面に近接して設けられ、室内機の機械容積が小さく設計されている。また、熱交換器１３の下部には、冷房時に熱交換器１３の表面に生じる露が室内に落下しないように受け止めるドレンパン１５、１５が設けられている。また、ケーシング１２の吸込み口１１には、エアフィルター５が脱着可能に装着されている。この室内機は、ケーシング１０内に吸い込んだ室内空気を、熱交換器１３によって熱交換して、ファン１４によって吹出口１２から吹出すように設けられているものであり、この吹出口１２には、上下一対の水平羽根１、２が設けられている。
【００１３】
この上下一対の水平羽根１、２は、図１（ａ）に示すように、それぞれ回動中心１ａ、２ａを中心に回動できるようにケーシング（図示省略）に軸支されている。また、この水平羽根１、２の回動中心１ａ、２ａには、駆動手段としてのステッピングモータ（図示省略）がそれぞれに付設されている。つまり、一対のステッピングモータによって一対の水平羽根１、２の回動がそれぞれ行われるようになっている。また、該ステッピングモータは、制御手段（図示省略）によって駆動が制御されている。該制御手段は、室内機使用時においては、水平羽根１、２が開放状態となるようにステッピングモータを制御している。
【００１４】
また、前記一対の水平羽根１、２は、図１（ｃ）に示すように、閉塞状態において、一方の水平羽根１の端部と他方の水平羽根２の端部とが接触するように設けられている。具体的には、閉塞位置において、上下一対の水平羽根１、２は、下方の水平羽根１の上端部の内面と、上方の水平羽根２の下端部の外面とが接触するように設けられている。
【００１５】
また、制御手段は、室内機使用終了時において、水平羽根が以下のような動作を行うようにステッピングモータを制御している。つまり、室内機使用終了時において、まず下方の水平羽根１は、閉塞位置よりも上端部が上方に位置するように回動して停止する（図１（ｂ）参照）。そして、上方の水平羽根２が回動して、前述のように閉塞位置よりも上端部が上方に位置する下方の水平羽根１と当接して、さらに該下方の水平羽根１を閉塞位置まで押し戻して、上下一対の水平羽根１、２が閉塞状態に位置した後に水平羽根１、２の回動が停止する（図１（ｃ）参照）。
【００１６】
本実施形態の室内機は、上記構成からなるため、上下一対の水平羽根１、２同士が互いに他方側に押し合う状態で閉塞状態が得られる。すなわち、下方の水平羽根１と上方の水平羽根２とが力を及ぼし合う状態で保持されることになるので、上下一対の水平羽根１、２には重力の影響が及びにくい状態となっており、また、その状態では、ステッピングモータの遊びによる水平羽根１の戻りや多少のバックラッシュ等が生じたとしても、一対の水平羽根１、２同士は接触状態を維持することができ、このため、上下一対の水平羽根１、２の間に隙間を生じず、室内機の外観上の美観を向上させることができるという利点を有する。特に、下側の水平羽根１は、上側の水平羽根２よりも斜め下方から使用者の目に留まり易い部分であるため、この部分の回動を防止することによって、外観品質を大きく向上することができる。
【００１７】
また、一対のステッピングモータによって上記の動作を行うことができ、簡単な構成で且つ廉価で上記利点を奏することが可能となる。
【図面の簡単な説明】
【００１８】
【図１】この発明の一実施形態に係る空気調和機の室内機の水平羽根を説明するための概略的説明図であって、（ａ）は室内機使用時の状態を示す図、（ｂ）は室内機使用終了時の状態を示す図、（ｃ）は室内機不使用時の状態を示す図である。
【図２】上記室内機の全体構成を示す断面図である。
【符号の説明】
【００１９】
１・・下方の水平羽根、１ａ・・回動中心、２・・上方の水平羽根、２ａ・・回動中心
【図１】
2010060172.tif 000003
【図２】
2010060172.tif 000004
【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
吹出口に少なくとも一対の水平羽根（１、２）が回動可能に設けられているとともに、室内機不使用時において一対の水平羽根（１、２）は一方の水平羽根（１）の端部の内面と他方の水平羽根（２）の端部の外面とが接触する閉塞位置に位置するように設けられており、室内機使用終了時において一対の水平羽根（１、２）を回動させて吹出口を閉鎖するときには、一方の水平羽根（１）における他方の水平羽根（２）への接触側の端部を、閉塞位置を越えてさらに吹出口の内方側に位置させた状態において、他方の水平羽根（２）の端部が、前記一方の水平羽根（１）を閉塞位置まで押し戻すように設けられていることを特徴とする空気調和機の室内機。
【請求項２】
前記一対の水平羽根（１、２）のそれぞれを駆動する一対の駆動手段を備えており、室内機使用終了時において、前記一方の水平羽根（１）を駆動する一方の駆動手段が駆動した後に、前記他方の水平羽根（２）が一方の水平羽根（１）を閉塞位置まで押し戻すように前記他方の水平羽根（２）の駆動手段が駆動するように制御されている請求項１記載の空気調和機の室内機。
【請求項３】
前記駆動手段がステッピングモータである請求項２記載の空気調和機の室内機。
【請求項４】
前記一対の水平羽根（１、２）は上下一対の水平羽根（１、２）からなり、閉塞位置において下方の水平羽根（１）の上端部の内面と上方の水平羽根（２）の下端部の外面とが接触するように設けられており、室内機使用終了時において、下方の水平羽根（１）の上端部が閉塞位置よりも上方に位置するように回動し、その後、上方の水平羽根（２）が、前記下方の水平羽根（１）を閉塞位置まで押し戻すように設けられている請求項１乃至３のいずれかに記載の空気調和機の室内機。
【手続補正２】
【補正対象書類名】明細書
【補正対象項目名】０００５
【補正方法】変更
【補正の内容】
【０００５】
上記課題を解決するため、この発明空気調和機の室内機は、吹出口に少なくとも一対の水平羽根１、２が回動可能に設けられているとともに、室内機不使用時において一対の水平羽根１、２は一方の水平羽根１の端部の内面と他方の水平羽根２の端部の外面とが接触する閉塞位置に位置するように設けられており、室内機使用終了時において一対の水平羽根１、２を回動させて吹出口を閉鎖するときには、一方の水平羽根１における他方の水平羽根２への接触側の端部を、閉塞位置を越えてさらに吹出口の内方側に位置させた状態において、他方の水平羽根２の端部が、前記一方の水平羽根１を閉塞位置まで押し戻すように設けられていることを特徴とする。